(57)【特許請求の範囲】
【請求項１】
第１シートと第２シートとが、第１シートの基シート上に部分的に配された接着剤層を介して剥離可能に接着され、
前記第２シートは基シート上に接着剤対向面に文字、図形、記号、模様又は色彩若しくはこれらの組み合わせが印刷されたなる照合印刷層を有し、
第１シートと第２シートとを剥離した際に、前記第２シートの照合印刷層が部分的に配された第１シートの接着剤層に取られて一部残り、その代の残部が第２シートに残り、
前記第１シートに取られた一部の照合印刷と、第２シートに残る照合印刷と照合することで、第１シートと第２シートとが照合される、
ことを特徴とする分離照合情報シート
【請求項２】
一方面に粘着剤層を有する少なくとも一部が透明である第３シートを有し、
前記第２シートは、基シートと照合印刷層との間に透明剥離層を有し、
前記第１シートから剥離した照合印刷層の残部を有する第２シートを、前記第３シートの前記粘着剤層に照合印刷層を対面して接着し、その後に前記第２シートを第３シートから剥離させると、第２シートの剥離層で剥離して、第２シートの照合印刷層の残部が、第３シートに転写されるように構成され、
前記第３シートの透明部分を、その第２シートから転写された照合印刷層の残部に折り重ねることで、転写された照合印刷層の残部が被覆保護される、請求項１記載の分離照合情報シート。
【請求項３】
前記第３シートは、照合印刷層の残部を第３シートに転写した後の第２シートを貼着するための余白部を有する請求項２記載の分離照合情報シート。
【発明の詳細な説明】
【技術分野】
【０００１】
本発明は、照合情報を改ざん不能に別々のシートに分離することができ、さらにその分離された各シートの照合情報の一致、不一致を容易に判断することができる照合情報分離シートに関する。
【背景技術】
【０００２】
例えば、（１）注文書と注文請書のように分離使用を前提としその分離後にそれらの照合が要求されるような伝票類、（２）契約書などにおける複本と正本、さらには（３）ホテル等のクロークに荷物を預けた際への控え書と荷札など、情報を複数の基材に分離した後、分離された情報を照合することで本人確認や真偽の確認を簡易に行なう必要性のある場面は生活において多々ある。
【０００３】
従来のこの種の情報照合手段は、その確認の重要性に応じて種々の態様が存在し、例えば、割印、同じ数字・番号を付与した一組のシート体、タグなどが用いられている（例えば、下記特許文献１）。
【０００４】
しかし、従来のこの種の情報照合手段は、改ざん容易なものが多い。また、高度なＩＣチップなどの電子暗号を用いれば、改ざん性の点では高度なセキュリティーが発揮されるが、上記（１）のような使用では各書類にＩＣチップや照合のための手段を電子機器などを用意するのは現実的ではない。上記（１）〜（３）に例示する使用場面やあるいは照合回数が少ない使用態様ではコスト的に見合わないし、利便性に欠ける。
【先行技術文献】
【特許文献】
【０００５】
【特許文献１】特許第３６６８２２０号公報
【発明の概要】
【発明が解決しようとする課題】
【０００６】
そこで、本発明は、照合情報を改ざん不能に別々のシートに分離することができ、さらにその分離された各シートの照合情報の一致、不一致を容易に判断することができる照合情報分離シートを提供し、低コストで簡易に真偽の確認や本人確認をすることができるようにすることにある。
【課題を解決するための手段】
【０００７】
上記課題を解決した本発明およびその作用効果は次記のとおりである。
＜請求項１記載の発明＞
第１シートと第２シートとが、第１シートの基シート上に部分的に配された接着剤層を介して剥離可能に接着され、
前記第２シートは基シート上の接着剤対向面に剥離層及び文字、図形、記号、模様又は色彩若しくはこれらの組み合わせが印刷されてなる照合情報印刷層をこの順に有し、
第１シートと第２シートとを剥離した際に、前記第２シートの照合情報印刷層が部分的に配された第１シートの接着剤層に取られて一部残り、その代の残部が第２シートに残り、
前記第１シートに取られた一部の照合情報印刷と、第２シートに残る照合情報印刷と照合することで、第１シートと第２シートとが照合される、
ことを特徴とする照合情報分離シート。
【０００８】
＜請求項２記載の発明＞
一方面に粘着剤層を有する少なくとも一部が透明である第３シートを有し、
前記第１シートから分離した第２シートを、照合情報印刷層の残部が前記第３シートの前記粘着剤層に対面するように接着した後、前記第２シートと第３シートとの接着面を剥離させると、第２シートの剥離層で剥離して、第２シートの照合情報印刷層の残部が、第３シートに転写されるように構成され、
前記第３シートの透明部分を、その第２シートから転写された照合情報印刷層の残部に折り重ねることで、転写された照合情報印刷層の残部が被覆保護される、請求項１記載の照合情報分離シート。
【０００９】
＜請求項３記載の発明＞
前記第３シートは、照合情報印刷層の残部を第３シートに転写した後の第２シートを貼着するための余白部を有する請求項２記載の照合情報分離シート。
【発明の効果】
【００１０】
以上の本発明によれば、照合情報を改ざん不能に別々のシートに分離することができ、さらにその分離された各シートの照合情報の一致、不一致を容易に判断することができる照合情報分離シートが提供され、低コストで簡易に情報の真偽や本人確認をすることができるようになる。
【図面の簡単な説明】
【００１１】
【図１】本発明の第１の実施形態にかかる照合情報分離シートの平面図である。
【図２】図１のＩＩ−ＩＩ断面図である。
【図３】本発明の照合情報分離シートの第１シート及び第２シートを説明するための図である。
【図４】本発明の第１の実施形態にかかる照合情報分離シートの第１シートと第２シートとを分離した態様を示す断面図である。
【図５】本発明の第１の実施形態にかかる照合情報分離シートの第１シートと第２シートとを分離した態様を示す図である。
【図６】本発明の第２の実施形態にかかる第３シートの図である。
【図７】第３シートに第２シートを接着した態様を示す断面図である。
【図８】第３シートに第２シートを接着した態様を示す平面図である。
【図９】第３シートに第２シートの照合情報を転写する態様をしめす断面図である。
【図１０】第３シートに第２シートの照合情報を転写した状態をしめす平面図である。
【図１１】第３シートに転写された照合情報の一部を被覆保護した状態を示す断面図である。
【図１２】第３シートに転写された照合情報の一部を被覆保護した状態を示す平面図である。
【図１３】第１シートの照合情報の一部と第３シートに転写された照合情報の残部の照合態様を示す図である。
【発明を実施するための形態】
【００１２】
次いで、本発明の実施形態を図面を参照しながら以下に詳述する。
（第１の実施形態）
本形態の照合情報分離シートＸ１は、図１〜図３に示されるように、第１シート１０と第２シート２０とが、第１シート１０の基シート１１上に部分的に配された接着剤層１２を介して接着されている。
【００１３】
前記第１シート１０に部分的な接着剤層１２の付与態様としては、平面視において、線状或いは点線状の接着部を間隔を開けて配した態様、円、楕円、三角形、四角形、多角形等の接着部を点在、散在、規則正しく等間隔で配した態様が例示できる。図示の形態では、線状の接着部を間隔を開けて配置した態様となっている。
【００１４】
他方、前記第２シート２０は、適宜の大きさ例えば名刺サイズ程度の大きさであり、前記第１シート１０の接着剤層１２に対向する部位が、基シート２１、剥離層２２、照合印刷層２３がこの順に形成され、前記照合印刷層２３が前記接着剤層１２に対面するようにして、前記第１シート１０に対して剥離可能に接着されている。
【００１５】
第１シート１０、第２シート２０の基シート１１，２１は、アート紙、コート紙、クラフト紙等の既知の洋紙とすることができる。坪量は剛性の関係から６４〜２００ｇ／ｍ2程度であるのが望ましい。
【００１６】
前記剥離層２２は、前記第２シート２０の基シート２１に対して、シリコン、長鎖アルキルポリマー、ポリオレフィン、アルキド樹脂、フッ素化合物等の離型剤を０．１〜２．５ｇ／ｍ2程度塗布して形成することができる。離型剤の塗布は、エアナイフコーター、ブレードコーター、ロッドメタリングコーター、カーテンコーター、ロールコーター等の従来各種塗工機による塗工やオフセット印刷、グラビア印刷、凸版印刷、スクリーン印刷等の従来各種印刷機による印刷塗工によって塗布することができる。特に、網点印刷、模様印刷あるいはベタ印刷によって離型剤の塗布量や塗布分布を適宜調整することが容易なオフセット印刷、グラビア印刷、凸版印刷、スクリーン印刷など各種印刷による印刷塗工が好適である。
【００１７】
前記照合情報２３は、前記剥離層２１上に、例えば、文字、図形、記号、模様又は色彩若しくはこれらの組み合わせを印刷したものであり、複雑な印刷模様、ランダムな数字の羅列等が例示できる。図示の形態では、数字の羅列を反転したものである。照合情報２３の印刷は、オフセット印刷、グラビア印刷、凸版印刷、スクリーン印刷、レーザープリンタ等の電子写真方式の印刷機等の従来各種印刷機により印刷によって塗布することができる。但し、印刷に用いるインキ等としては、前記接着剤層１２との親和性が高く、剥離層２２との親和性が低いものが望ましい。この点から、電子写真方式のトナーはかかる性質が高く、もって、照合情報２３の印刷は、いわゆるレーザープリンタ等のトナーを印刷媒体とする電子写真方式の印刷機により行なうのが望ましい。
【００１８】
ここで、本発明の照合情報分離シートＸ１では、分離された第１シート１０と第２シート２０との関連性を付与すべく或いは照合を容易にならしめるべく、図１に示されるように、好ましく、第１シート１０の第２シート２０と重ならない部分に第１照合補助情報１３が印刷され、第２シート２０の照合情報２３が印刷されている面と反対の面に第２照合補助情報２４が印刷されている。これらの照合補助情報１３，２４は、例えば、既知の印刷機により印刷された同一の識別番号、照合の案内文章等の不変情報であり、照合を簡易に行えるようにするためのものである。
【００１９】
以上の本発明の本形態の第１の実施形態の照合情報分離シートＸ１では、図４、図５に示すように第１シート１０から第２シート２０を剥離させる操作を行なうと、図５に示されるように、前記第２シート２０の照合印刷層２３が部分的に配された第１シート１０の接着剤層１２に取られて一部２３Ａが残り、その代の残部２３Ｂが第２シート２０に残る。従って、この第１シート１０と第２シート２０とを別々の物に貼付したり所持したりするなど分離した状態で各々使用するなどし、その後に、上記照合補助情報１３、２４に基づき、前記第１シート１０の接着剤１２に取られた一部の照合印刷２３Ａと、第２シート２０に残るその代の照合印刷２３Ｂとの一致を目視にて照合することで、第１シート１０と第２シート２０とが照合することで、真偽確認、本人確認等の確認を行なうことができるようになる。
【００２０】
本発明の照合情報分離シートＸ１では、照合情報２３及び接着部１２の配置態様の少なくとも一方をシート毎に変更或いは複数パターン用意することで、多数の照合情報の分離パターンが得られ、もって簡易に真偽確認等のセキュリティー性を高めることができる。そして、照合情報２３及び接着部１２の配置態様の少なくとも一方をシート毎に変更或いは複数パターン用意することは、印刷設定を変更するだけでよく極めて簡易かつ低コストで行なうことができる。
【００２１】
（第２の実施形態）
本発明の第２の実施形態にかかる照合情報分離シートＸ１では、上記第１シート１０及び第２シート２０の他に、さらに、好ましい形態として、図６に示すような、一方面に透明な粘着剤層３２を有する少なくとも一部が透明である第３シート３０を有する。この第３シート３０は、第１シート１０及び第２シート２０と別体であってもよいし、第１シート１０、第２シート２０と切り離し可能に連接させるようにして付属させてもよい。図示例の形態では、透明なフィルムシート３１の一方面の全面に透明な粘着剤層３２を形成し、さらにその粘着剤層３２を被覆保護する剥離紙３３を設けたものとしており、第１シート１０及び第２シート２０とは、別体のものとしている。なお、透明粘着剤層３２及透明フィルム３１の部分の大きさは、少なくとも第２シート１０を２枚連接した大きさとされる。
【００２２】
前記透明粘着剤層３２及び透明フィルムシート３１は、無色透明が好ましいが有色透明であってもよい。また、完全透明に限らず背面に位置するものを透過して視認可能な程度の透明性があればよく半透明であってもよい。
【００２３】
透明フィルムシート３１としては、例えば、ポリエチレンフィルムシート、ポリプロピレンシート、ポリカーボネートシート、ポリエチレンテレフタレートソート等が挙げられる。
【００２４】
透明粘着剤層３２としては、特開２００３−２７０２６、特開２００４−２１７８３８に開示される剥離性粘着剤、アクリル酸アルキルエステルを含有したアクリル共重合水性エマルジョン等の剥離性接着剤、エマルジョン系強粘着剤、ゴム系粘着剤、溶剤系粘着剤等の非剥離性粘着剤が例示できる。粘着剤の塗布、印刷は既知の技術による。
【００２５】
剥離紙は、既知のものが用いられる。例えばクラフト紙等の洋紙の一方面に離型剤を塗布或いは印刷したものが例示できる。
【００２６】
本第２の実施形態の照合情報分離シートＸ１では、まず、第３シート３０の剥離紙３３を剥離して透明粘着剤層３２を露出させる。次いで、前記第１シート１０から剥離した照合情報印刷層２３の残部を有する第２シート２０を、前記第３シート３０の前記透明粘着剤層３２に対して、前記照合情報印刷層２３Ｂが対面するようにして接着した後、前記第２シート２０を第３シート３０の透明粘着剤層３２から剥離させるようにする。
【００２７】
なお、この操作は、図示の形態では、図７〜図１０に示すように、まず、第３シート３０の一方縁部側に合わせるようにして第２シート２０の照合情報非印刷面を接着して一体化し、図７の矢印Ａのように第２シート２０の縁部で第３シート３０を折り返すようにして、第２シート２０の照合情報印刷層２３Ｂを第３シート３０の透明粘着剤層３２に対面させて接着し、その後、図９の矢印Ｂで示すように、この折り返しを開くようにして第２シート２０の照合情報印刷層２３Ｂと剥離層２２とが剥離されて第２シート２０の照合情報２３Ｂが第３シート３０に転写されるように操作することができる。図示の形態では、第３シート３０を第２シート２０が３枚連接された大きさとすることでこの操作を容易にしている。また、第３シートのすべてを透明フィルムシート３１及び透明粘着剤層３２で構成していることから、第２シート２０の照合補助情報２４も第３シート３０を介して透過視認できるようになっている。
【００２８】
本第２の実施形態の照合情報分離シートＸ１では、さらに、図９〜図１２から理解されるように、前記第３シート３０の第２シート２０が接着されている部分と反対側の縁部を、図９の矢印Ｃで示すように、前記第２シート２０から転写された照合情報印刷層２３Ｂに折り重ねることで、転写された照合印刷層２３Ｂが被覆保護される。そして、この状態では第２シート２０に起因する照合情報２３Ｂは表裏面が第３シート３０により被覆されていることから改ざんが不能な状態となる。さらに、第３シート３０は透明粘着剤層３２及び透明フィルムシート３１により構成されているため転写された照合情報２３Ｂは第３シート３０の表裏いずれの面からも視認することが可能である。
【００２９】
なお、第３シート３０は、上記折り返し操作がし易いように、折り線３４、ミシン目線を形成することができる。
【００３０】
そして、本第２の実施形態の照合情報分離シートＸ１では、図１３に示すように、第１シート１０の照合情報の一部２３Ａと、第２シート２０及び第３シート３０からなる第２シート２０に起因する照合情報２３Ｂを有するシートの当該照合情報の一部２３Ｂとを、照合することで、真偽確認等が行える。この際、特に、第２の実施形態における照合情報分離シートＸ１では、第２シート２０に起因する照合情報２３Ｂが付与された第３シート３０に起因する部分では、照合情報２３Ｂ以外の部分が透明であるため第１シート１０の照合情報２３Ａと重ね合わせるようにすると、基の照合情報印刷２３として視認でき、照合一致の確認が極めてしやすいものとなる。
【符号の説明】
【００３１】
Ｘ１…照合情報分離シート、１０…第１シート、１１…第１シートの基シート、１２…接着剤層、１３…第１照合補助情報、２３Ａ…第１シートに取られた照合情報印刷層（照合情報）の一部、２０…第２シート、２１…第２シートの基シート、２２…剥離層、２３…照合情報印刷層（照合情報）、２３Ｂ…第２シートに残る照合情報印刷層（照合情報）の一部、２４…第２照合補助情報、３０…第３シート、３１…透明フィルムシート、３２…透明粘着剤層、３３…剥離紙、３４…折り線。
【図１】
0005722108.tif 000002
【図２】
0005722108.tif 000003
【図３】
0005722108.tif 000004
【図４】
0005722108.tif 000005
【図５】
0005722108.tif 000006
【図６】
0005722108.tif 000007
【図７】
0005722108.tif 000008
【図８】
0005722108.tif 000009
【図９】
0005722108.tif 000010
【図１０】
0005722108.tif 000011
【図１１】
0005722108.tif 000012
【図１２】
0005722108.tif 000013
【図１３】
0005722108.tif 000014